(57)【要約】【課題】光源の選択に制約を受けることなく、丸い光溜りを提供することができる照明器具を提供する。【解決手段】照明器具１００は、光源８および円筒状の透明カバー４を備えている。光源８は、丸い光溜りとは異なる形状の光溜りを形成する。円筒状の透明カバー４は、光源８から発せられた光を周囲に向かって分散して透過させる。円筒状の透明カバー４は、縦断面において、円筒状の透明カバー４の外側のいずれの位置においても丸い光溜りを提供する凹凸部４ａｂを有している。【選択図】図４
2019175663.tif 000002
【特許請求の範囲】
【請求項１】
丸い光溜りとは異なる形状の光溜りを形成する光源と、
前記光源から発せられた光を周囲に向かって分散して透過させる円筒状の透明カバーと、を備え、
前記円筒状の透明カバーは、縦断面において、前記円筒状の透明カバーの外側のいずれの位置においても丸い光溜りを提供する凹凸部を有している、照明器具。
【請求項２】
前記凹凸部は、前記縦断面において、同一の凹部と同一の凸部とを交互に繰り返す鋸形状を有している、請求項１に記載の照明器具。
【請求項３】
前記凹凸部は、前記円筒状の透明カバーの外側表面に設けられており、前記縦断面において、横方向に延びる上辺と、前記上辺の外側端から下方へ延びる縦辺と、前記縦辺の下側端から前記円筒状の透明カバーの内方かつ下方へ延びる斜辺と、を含む、請求項２に記載の照明器具。
【請求項４】
前記円筒状の透明カバーを下側から覆うように設けられ、前記円筒状の透明カバーの下方に向かって先細りとなるテーパ周面部と、前記テーパ周面部の下側端に連続するように設けられた円形の底面部と、を有する透明保護カバーをさらに備えた、請求項１〜３のいずれかに記載の照明器具。
【請求項５】
前記光源が、平板形状を有している、請求項１〜４のいずれかに記載の照明器具。
【請求項６】
前記円筒状の透明カバーの上側の開口を塞ぐように設けられ、前記光源から発せられた光を反射する反射部をさらに備え、
前記光源は、前記反射部の下側面に取り付けられた、請求項１〜５のいずれかに記載の照明器具。
【請求項７】
前記円筒状の透明カバーの下側の開口を塞ぐように設けられ、前記光源から発せられた光を分散して透過させる透光性部をさらに備えた、請求項１〜６のいずれかに記載の照明器具。
【請求項８】
前記光源および前記円筒状の透明カバーを保持する保持部と、  
前記保持部を既存の施設に固定する固定治具と、をさらに備えた、請求項１〜７のいずれかに記載の照明器具。
【請求項９】
前記保持部は、前記円筒状の透明カバーを上方から覆うように横方向に延びる横方向部と、前記横方向部から縦方向に延びる縦方向部と、を含んでいる、請求項８に記載の照明器具。
【発明の詳細な説明】
【技術分野】
【０００１】
本発明は、周辺環境に対して光を発する照明器具に関する。
【背景技術】
【０００２】
従来から、丸い光溜りとは異なる形状の光溜りを形成する光源、たとえば、ＣＯＢ（Chip On Board）光源等の平面状の光源またはクレソン管からなる複雑な形状を有する光源を有する照明器具の開発が行われている。
【先行技術文献】
【特許文献】
【０００３】
【特許文献１】特開平８−１８０７０４号公報
【発明の概要】
【発明が解決しようとする課題】
【０００４】
丸い光溜りとは異なる形状の光溜りを形成する光源は、美しい照明環境を提供するためには、今一つ好ましくない。しかしながら、丸い光溜りを形成する光源は、その選択に制約を受ける。
【０００５】
本発明は、このような従来技術の有する課題に鑑みてなされたものである。そして、本発明の目的は、光源の選択に制約を受けることなく、丸い光溜りを提供することができる照明器具を提供することである。
【課題を解決するための手段】
【０００６】
上記課題を解決するために、本発明の一態様に係る照明器具は、丸い光溜りとは異なる形状の光溜りを形成する光源と、前記光源から発せられた光を周囲に向かって分散して透過させる円筒状の透明カバーと、を備え、前記円筒状の透明カバーは、縦断面において、前記円筒状の透明カバーの外側のいずれの位置においても丸い光溜りを提供する凹凸部を有している。
【発明の効果】
【０００７】
本発明の照明器具によれば、光源の選択に制約を受けることなく、丸い光溜りを提供することができる。
【図面の簡単な説明】
【０００８】
【図１】実施の形態の照明器具の側面図である。
【図２】実施の形態の照明器具の下面図である。
【図３】実施の形態の照明器具の背面図である。
【図４】実施の形態の照明器具の円筒状の透明カバーおよび透明保護カバーの部分縦断面図である。
【図５】実施の形態の照明器具の円筒状の透明カバーおよび透明保護カバーの部分横断面図である。
【図６】実施の形態の照明器具の円筒状の透明カバーの拡大縦断面図である。
【図７】実施の形態の丸い光溜りを提供する照明器具の側面の写真の一例である。
【図８】実施の形態の丸い光溜りを提供する照明器具の側面の写真の他の一例である。
【発明を実施するための形態】
【０００９】
以下、図面を参照しながら、実施の形態の照明器具を説明する。以下の各図面においては、同一の参照符号が付された部分同士は、図面上における形状に多少の相違があっても、特段の記載がない限り、互いに同一の機能を発揮するものとする。
【００１０】
図１〜図８を用いて、実施の形態の照明器具１００を説明する。
【００１１】
図１〜図３に示されるように、照明器具１００は、既存の施設５０に固定されて使用されるものである。照明器具１００は、光源８および円筒状の透明カバー４を保持する保持部１０と、保持部１０を既存の施設５０に固定する固定治具１１と、を備えている。保持部１０は、その重量を極力軽減する観点から、鋼板によって囲まれた内部空間を有するように構成されている。
【００１２】
図１〜図３に示されるように、保持部１０は、縦断面において、横方向に延びる横方向部１０Ａと、横方向部１０Ａから縦方向に延び、内部に電源９を有する縦方向部１０Ｂと、を含んでいる。横方向部１０Ａは、円筒状の透明カバー４を上方から覆っている。固定治具１１は、上側固定治具１１Ａと下側固定治具１１Ｂとを含み、縦方向部１０Ｂと既存の施設５０とを固定している。本実施の形態の固定治具１１は、ボルトとナットとを用いるネジ結合用の治具であるが、既存の施設５０に照明器具１００を固定できるものであれば、いかなるものであってもよい。
【００１３】
上記の照明器具１００の構造によれば、後述される丸い光溜りＸ（図７および図８参照）を提供する照明器具１００を既存の施設５０に設置することができる。本明細書において、「光溜り」とは、一定の輪郭を有する「溜り」のように見える「光」の状態を意味するものとする。そのため、既存の施設５０を丸い光溜りＸによって装飾することができる。既存の施設５０としては、たとえば、橋梁の支柱やトラス等の屋外に建設される土木施設等が考えられる。保持部１０は、太陽光および雨風に曝されるため、対候性を増加させるために、ステンレス鋼板に所定の色のフッ素樹脂塗装が施されている材料で形成されている。
【００１４】
上記の照明器具１００を殺風景な橋梁等の既存の施設５０に設置すれば、照明器具１００が提供する丸い光溜りＸによって外部の施設５０を装飾することができる。本実施の形態の照明器具１００においては、外部の施設５０を見る人に、後述される丸い光溜りＸ（図７および図８）を観賞させることができる。
【００１５】
図１〜図３に示されるように、縦方向部１０Ｂの下面には、電力が供給されている電力ケーブル２０Ａ，２０Ｂが接続されている。電力ケーブル２０Ａ，２０Ｂは、縦方向部１０Ｂの外部から縦方向部１０Ｂに内蔵された電源９へ電力を供給するためのものである。
【００１６】
図１〜図３に示されるように、横方向部１０Ａの内部には固定用金具１７が固定されている。固定用金具１７は、容器形状を有し、その容器形状の上側開口に鍔部を有している。固定用金具１７の鍔部が横方向部１０Ａの上側の鋼板部の下面に溶接またはボルト接合によって固定されている。固定用金具１７の底面には、平板状の反射部７が当接している。反射部７の下側の主表面には光源８が取り付けられている。光源８は、本実施の形態においては、仮想の平面に沿って延びるように、複数のＬＥＤ（Light Emitting Diode）が平板状に配置されており、電源９から電力の供給を受け、平板状の光溜りを提供するように発光する。
【００１７】
図１〜図３に示されるように、反射部７の下側の主表面には、円筒状の透明カバー４の上端面が当接している。円筒状の透明カバー４の下端面は、透光性部５に当接している。したがって、反射部７と透光性部５との間に、円筒状の透明カバー４が設けられている。反射部７と透光性部５とは、それらの間に円筒状の透明カバー４が挟み込まれた状態で、円筒状の透明カバー４の内部空間を貫通している３組のボルトおよびナット７０によって、互いに位置固定されている。
【００１８】
図４に示されるように、光源８が、平板状の光溜りを形成する、すなわち、丸い光溜りを形成しない平板形状を有している。たとえば、光源８は、平板状のＣＯＢ（Chip On Board）光源である。しかしながら、照明器具１００は、光源８が発した光の少なくとも一部を円筒状の透明カバー４に分散して透過させることによって、後述されるように丸い光溜りＸ（図７および図８参照）を提供することができる。そのため、本実施の形態の照明器具１００によれば、丸い光溜りＸを提供する照明器具１００の光源８の選択のバリエーションを増加させることができる。
【００１９】
図４に示されるように、反射部７は、円筒状の透明カバー４の上側の開口を塞ぐように設けられ、光源８から発せられた光を反射する。また、光源８は、反射部７の下側面に取り付けられている。そのため、反射部７は、光源８から発せられた光を円筒状の透明カバー４から効率的に周囲へ分散させることができる。本実施の形態においては、反射部７は、乳白色アルミニウム鋼板である。
【００２０】
図４に示されるように、透光性部５は、透光性部５は、半透明の乳白色のアクリル樹脂製の板状部材である。円筒状の透明カバー４の下側の開口を塞ぐように設けられている。透光性部５は、光源８から発せられた光の少なくとも一部を円筒状の透明カバー４から周囲へ分散して透過させることができる。その結果、照明器具１００の真下の位置に存在する人にも、丸い光溜りＸを提供することができる。
【００２１】
図４に示されるように、円筒状の透明カバー４は、仮想円筒の周面に沿って延びる形状である。円筒状の透明カバー４の縦断面は、円筒状の透明カバー４を前述の仮想円筒の仮想中心軸を含む仮想平面に沿って切った断面である。円筒状の透明カバー４は、プリズムとして機能するように、その縦断面において三角形の２辺を含む凹凸部４ａｂを有している。円筒状の透明カバー４は、乳白色の半透明のポリカーボネートで形成されている。そのため、円筒状の透明カバー４は、光源８が発した光のうち少なくとも一部を分散して透過させている。
【００２２】
図４および図５から分かるように、横方向部１０Ａには、円筒状の透明カバー４を下側から覆うように設けられた透明保護カバー３を備えている。透明保護カバー３は、横方向部１０Ａの下面から下方へ突出している。透明保護カバー３は、テーパ周面部３ａと、テーパ周面部３ａの下側端に連続するように設けられた円形の底面部３ｂとを有している。言い換えると、透明保護カバー３は、下方に向かって先細りとなるテーパ周面部３ａと水平面に沿って延びる底面部３ｂとを有し、容器状の形状を有している。円形の底面部３ｂおよびテーパ周面部３ａは、本実施の形態においては、一つの部材として成形された透明ガラスであるが、別個の複数の透明部材が接合されたものであってもよい。透明保護カバー３の鍔部は、横方向部１０Ａの内側の下面にネジ結合部１０Ａ１，１０Ａ２を利用して固定されている。
【００２３】
透明保護カバー３は、ガラスで形成されており、無色透明である。そのため、透明保護カバー３の外部から透明保護カバー３の内部の円筒状の透明カバー４の外周面の乳白色および透光性部５の下面の色を視認することができる。この透明保護カバー３によれば、照明器具１００の斜め下方に存在する人への丸い光溜りＸの提供を阻害することなく、円筒状の透明カバー４およびその内部の構造を風や雨から保護することができる。また、透明保護カバー３は、底面部３ｂからテーパ周面部３ａの上方の開口へ向かうにしたがって、その径が徐々に大きくなっている。そのため、透明保護カバー３の成形時の金型の引き抜きを容易に行うことができる。
【００２４】
図５および図６に示されるように、凹凸部４ａｂは、横断面においては、一定幅の環形状を有しているが、縦断面において、同一の凹部と同一の凸部とを交互に繰り返す鋸形状を有している。また、凹凸部４ａｂは、全ての横断面において、一定の幅を有する環状部を形成するように、円筒状の透明カバー４の円周方向において、同一形状を有している。そのため、照明器具１００を見る人が存在する位置の相違に起因した丸い光溜りＸ（図７および図８参照）のムラを極力低減することができる。
【００２５】
図６に示されるように、凹凸部４ａｂは、円筒状の透明カバー４の外側表面に設けられている。凹凸部４ａｂの１つの凸および１つの凹部のそれぞれは、縦断面において、横方向に延びる上辺４ａと、上辺４ａの外側端から下方に延びる縦辺４ｃと、縦辺４ｃの下側端から円筒状の透明カバー４の内方かつ下方へ延びる斜辺４ｂと、を含んでいる。上辺４ａの仮想の延長線および斜辺４ｂの仮想の延長線とは、縦断面において、角度αで交差する。本実施の形態においては、上辺４ａは、成形時の金型の引き抜き易さを考慮して、外側に向かうにしたがって徐々に下方へ傾斜、たとえば、水平線に対して５度だけ傾斜するように延びているが、水平線に沿って延びていてもよい。上辺４ａおよび斜辺４ｂは、いずれも、直線状の線分である。縦辺４ｃは、本実施の形態においては、上下方向に延びる直線状の線分として描かれているが、外側に突出する曲率を有する曲線状の線分、たとえば、円弧であってもよい。これによれば、円筒状の透明カバー４の凹凸部４ａｂの外側の先端部の破損のおそれを低減することができる。
【００２６】
本実施の形態の照明器具１００によれば、円筒状の透明カバー４の凹凸部４ａｂは、光源８が発した光を屈折によって分散させる。それにより、照明器具１００の周囲の照明器具１００の斜め下方のいずれの位置に存在する人に対しても、丸い光溜りＸを提供することができる。
【００２７】
図６に示されるように、上辺４ａの仮想の延長線と斜辺４ｂの仮想の延長線とがなす角度αが４５度である。より具体的には、水平線と斜辺４ｂとがなす角度αが、４０度（図６において時計回り）である。また、上辺４ａと水平線とがなす角度は、５度（図６において反時計回り）である。この構造によれば、照明器具１００の真下の位置の周辺のいずれの位置に存在する人に対しても、丸い光溜りＸを提供することができる。
【００２８】
図６から分かるように、円筒状の透明カバー４の内側表面４ｄは、仮想円柱の周面の形状のように凹凸部を有していない曲面であるが、丸い光溜りＸを提供できるのであれば、凹凸部を有していてもよい。この場合、丸い光溜りＸを提供できるのであれば、円筒状の透明カバー４の外側表面に凹凸部が設けられていなくてもよい。
【００２９】
図７および図８の写真から分かるように、円筒状の透明カバー４は、縦断面において、円筒状の透明カバー４の外側のいずれの位置に存在する人に対しても丸い光溜りＸを提供する凹凸部４ａｂを有している。そのため、光源８の構造に制約を受けることなく、丸い光溜りＸを提供することができる。
【００３０】
光源８は、それ自身の発光によって丸い光溜りとは異なる形状の光溜りを形成する。本実施の形態においては、光源８は、平板状の形状を有するため、平板状の光溜りを形成する。しかしながら、図７および図８から分かるように、本実施の形態の照明器具１００によれば、平板形状の光溜りを形成する光源８を用いても、照明器具１００の周囲に居る人に丸い光溜りＸを提供することができる。より具体的には、照明器具１００の外側のいずれの位置から照明器具１００を見る人に対しても、従来から使用されていた丸型ランプのような丸い光溜りＸを提供することができる。
【００３１】
また、本実施の形態の保持部１０および固定治具１１によれば、斜め上方を見上げると丸い光溜りＸが見える位置に照明器具１００を取り付けることができる。
【００３２】
以下、実施の形態の照明器具１００の特徴的構成およびそれにより得られる効果を説明する。
【００３３】
（１）  照明器具１００は、光源８および円筒状の透明カバー４を備えている。光源８は、丸い光溜りとは異なる形状の光溜りを形成する。円筒状の透明カバー４は、光源８から発せられた光を周囲に向かって分散して透過させる。円筒状の透明カバー４は、縦断面において、円筒状の透明カバー４の外側のいずれの位置においても丸い光溜りＸを提供する凹凸部４ａｂを有している。これによれば、光源８の選択に制約を受けることなく、丸い光溜りＸを提供することができる。
【００３４】
（２）  凹凸部４ａｂは、縦断面において、同一の凹部と同一の凸部とを交互に繰り返す鋸形状を有していることが好ましい。これによれば、照明器具１００を見る人が存在する位置の相違に起因した丸い光溜りＸのムラを極力低減することができる。
【００３５】
（３）  凹凸部４ａｂは、円筒状の透明カバー４の外側表面に設けられていてもよい。凹凸部４ａｂは、縦断面において、横方向に延びる上辺４ａと、上辺４ａの外側端から下方に延びる縦辺４ｃと、縦辺４ｃの下側端から円筒状の透明カバー４の内方かつ下方へ延びる斜辺４ｂと、を含んでいてもよい。これによれば、照明器具１００の周囲の照明器具１００の斜め下方のいずれの位置に存在する人に対しても、丸い光溜りＸを提供することができる。
【００３６】
（４）  照明器具１００は、円筒状の透明カバー４を下側から覆うように設けられ透明保護カバー３をさらに備えていることが好ましい。透明保護カバー３は、円筒状の透明カバー４の下方に向かって先細りとなるテーパ周面部３ａと、テーパ周面部３ａの下側端に連続するように設けられた円形の底面部３ｂと、を有している。これによれば、丸い光溜りＸの提供を阻害することなく、円筒状の透明カバー４およびその内部の構造を風や雨から保護することができる。
【００３７】
（５）  光源８が、平板形状を有していてもよい。これによれば、平板形状の光溜りを形成する光源８を用いても、丸い光溜りＸを提供することができる。したがって、丸い光溜りＸを提供する照明器具１００の光源８の選択のバリエーションが増加する。
【００３８】
（６）  照明器具１００は、円筒状の透明カバー４の上側の開口を塞ぐように設けられ、光源８から発せられた光を反射する反射部７をさらに備えていることが好ましい。この場合、光源８は、反射部７の下側面に取り付けられていてもよい。これによれば、光源８から発せられた光を円筒状の透明カバー４から効率的に周囲へ分散させることができる。
【００３９】
（７）  円筒状の透明カバー４の下側の開口を塞ぐように設けられ、光源８から発せられた光を分散して透過させる透光性部５をさらに備えていてもよい。これによれば、照明器具１００の真下の位置に存在する人にも、丸い光溜りＸを提供することができる。
【００４０】
（８）  照明器具１００は、光源８および円筒状の透明カバー４を保持する保持部１０と、保持部１０を既存の施設５０に固定する固定治具１１と、をさらに備えていてもよい。これによれば、丸い光溜りＸを提供する照明器具１００を既存の施設５０に設置することができる。
【００４１】
（９）  保持部１０は、円筒状の透明カバー４を上方から覆うように横方向に延びる横方向部１０Ａと、横方向部１０Ａから縦方向に延びる縦方向部１０Ｂと、を含んでいてもよい。これによれば、照明器具１００の斜め下側の位置から斜め上方を見上げると丸い光溜りＸを提供する照明器具１００が見える位置に照明器具１００の取り付けることができる。
【符号の説明】
【００４２】
４  円筒状の透明カバー
４ａｂ  凹凸部
３  透明保護カバー
３ａ  テーパ周面部
４ａ  上辺
４ｂ  斜辺
４ｃ  縦辺
５  透光性部
７  反射部
８  光源
１０  保持部
１０Ａ  横方向部
１０Ｂ  縦方向部
１１  固定治具
５０  既存の施設
１００  照明器具
【図１】
2019175663.tif 000003
【図２】
2019175663.tif 000004
【図３】
2019175663.tif 000005
【図４】
2019175663.tif 000006
【図５】
2019175663.tif 000007
【図６】
2019175663.tif 000008
【図７】
2019175663.tif 000009
【図８】
2019175663.tif 000010